(57)【要約】【目的】この発明は、やさしい刺激でありながら身体のゼイ肉部をもみ解して効果的な痩身を行ない得るような、痩身用のダイエットベルトを提供することを課題とする。【構成】この発明は、身体のゼイ肉部に巻き付けて膨脹させた時に、大きさや間隔がゼイ肉部を掴み得るように構成した凸部または凹部を有する空気袋に、空気注入及び排出用のポンプを接続してダイエットベルトとしたものであって、ゼイ肉部をもんでセルライトを破壊し、脂肪細胞を減らしてこの部位を引き締めようとするものである。【選択図】　　　図２
2004105663.tif 000002
【特許請求の範囲】
【請求項１】
全体がベルト状であり、身体のゼイ肉部に巻き付けて膨脹させた時に、大きさや間隔がゼイ肉部を掴み得るように構成した凸部または凹部を有する空気袋に、空気注入排出用のポンプを設けて成る、ダイエットベルト。
【請求項２】
空気袋のゼイ肉部に接触する側の表面に起毛が施されたものである、請求項１に記載のダイエットベルト。
【請求項３】
空気袋とベルト本体とが別体である、請求項１に記載のダイエットベルト。
【請求項４】
空気袋が２系統の空気回路から成り、電動モータを用いた自動式のポンプで２つの空気回路を交互に膨らませるようにした、請求項１に記載のダイエットベルト。
【請求項５】
電源をオフにするタイマーを設けた、請求項１または請求項４に記載のダイエットベルト。
【請求項６】
空気注入の量または速度を可変にする流量調節部を設けた、請求項１または請求項４に記載のダイエットベルト。
【請求項７】
空気注入の量を測定するための圧力センサまたは流量センサを備えた、請求項１または請求項４に記載のダイエットベルト。
【請求項８】
空気吹込みのパターンを設定するための設定部を設けた、請求項１または請求項４に記載のダイエットベルト。
【発明の詳細な説明】
【０００１】
【発明の属する技術分野】
この発明は、空気袋を身体のゼイ肉部に巻き付けて膨脹させたり縮小させたりすることによって、空気袋に設けた凸部または凹部でゼイ肉部を掴んだり放したりさせ、この結果ゼイ肉部を引き締めることが出来る痩身用のダイエットベルトに関するものである。
【０００２】
【従来の技術】
従来より痩身用のベルトとしては、アルミ箔を張るなどして通気性を悪くした帯状体をゼイ肉部に巻き付けて発汗させ、ゼイ肉を取ろうとするものがあった。またより多くの発汗を促すべく、遠赤外線物質を練り込んだ帯状体をゼイ肉部に巻き付けるようにしたものなどが提供されている。
【０００３】
また身体に低周波を与えて筋肉を振動させ、それによって運動したのと同様の作用を得させようと言うものもある。
【０００４】
【発明が解決しようとする課題】
確かに痩身のために発汗を促すというのはひとつの考え方ではあるが、運動したりマッサージによってもみ解すのでなくては効果的な痩身方法であるとは言い難いであろう。即ち肥満原因物質として知られているセルライトが運動不足などが原因で体内に溜ると脂肪細胞と強固に結合する。このセルライトは外力を加えないと容易には壊れないものであるため、運動やマッサージを行なわないことにはセルライトを壊すことが出来ず、この結果脂肪細胞を減らしてダイエットすることが出来ないのである。また上記の低周波振動を利用するものの場合、電極を直接皮膚に接触させるために、ピリピリとした痛みのような刺激を覚える場合があり、あまり好ましいものではない。
【０００５】
そこでこの発明は、やさしい刺激でありながら、身体のゼイ肉部をもみ解して効果的な痩身を行ない得るような、痩身用のダイエットベルトを提供することを課題とする。
【０００６】
【課題を解決するための手段及び作用】
上述の課題は、身体のゼイ肉部に巻き付けて膨脹させた時に、大きさや間隔がゼイ肉部を掴み得るように構成した凸部または凹部を有する空気袋に、空気注入及び排出用のポンプを接続して、新規なダイエットベルトを構成することにより達成される。
【０００７】
空気注入及び排出用のポンプを稼働させると、空気袋が膨脹したり縮小したりする。この際空気袋が身体のゼイ肉部に巻き付けられていることにより、空気袋が膨脹した時には前記凸部または凹部がゼイ肉部を掴み、空気袋が縮小した時には前記凸部または凹部がゼイ肉部を放すように成る。従って、ゼイ肉部をもんでセルライトを破壊し、脂肪細胞を減らしてこの部位を引き締めることが出来るのである。なおゼイ肉部を掴むのは空気によって脹らまされた空気袋であり、この空気袋は塩化ビニールなどの柔軟な素材から形成されるものであるため、皮膚への刺激には優しいものがある。
【０００８】
身体のゼイ肉部に巻き付けると言う場合に、伸縮性を持たせて筒状に形成したベルトを構成してもよいし、或いはシート状体として肉部に巻き付け、その両端部に設けた面テープなどにより固定するベルトを構成してもよい。また凸部または凹部の大きさや隣り合うもの同士の間隔を調整することによって、ゼイ肉部を挟む量を変えることが出来る。なおこの凸部または凹部の形状は任意設計事項である。
【０００９】
さて上記ダイエットベルトに於いて、空気袋のゼイ肉部に接触する側の表面に起毛が施されたものとすることが出来る。空気袋はソフトビニールなどの柔軟な素材から成るものであるが、肌に密着して違和感を感ずるようなこともあるが、起毛を施したものであれば肌への当たりが柔らかくまた通気性もあるため、違和感を低減することが出来る。
【００１０】
また空気注入及び排出用のポンプは手動式のものも可能であるが、電動モータを用いた自動式のものであれば、手でポンプを駆動する必要がなく使用に煩わしさがなくなる。
【００１１】
また空気袋が２系統の空気回路から成り、電動モータを用いた自動式のポンプで２つの空気回路を交互に膨らませるようにしたものでは、場所を違えて交互にゼイ肉部を掴むことが出来るため、マッサージ感覚がより一層高まる。
【００１２】
また電源をオフにするタイマーを設けたものでは、ゼイ肉部を掴む時間をこのタイマー設定によって自由に設定することが出来る。従って使用中に寝てしまうようなことがあっても自動的にスイッチをオフにすることが出来るから、安心である。
【００１３】
また空気注入の量または速度を可変にする流量調節部を設けたものでは、空気注入の量を調節することによってゼイ肉部を掴む力を調節することが出来、また空気注入の速度を調節することによってゼイ肉部を掴んだり放したりする動作を機敏にしたり緩慢にすることが出来る。従って好みにより流量調節部を調節するようにすればよい。
【００１４】
また空気注入の量を測定するための圧力センサまたは流量センサを備えたものとすることが出来る。何等かの影響で空気袋の圧力が高まったような場合でも、圧力センサまたは流量センサで監視していて一定以上の圧力に対してはスイッチをオフにするようにすれば、ゼイ肉部に痛みを感じると言うような問題も未然に防止出来る。なお正確には流量センサでは吹き込まれた空気量を計測して圧力を調節している。
【００１５】
また空気吹き込みのパターンを設定するための設定部を設けたものとすることが出来る。これによればゼイ肉部を掴むパターンを幾つか用意しておき、好みでパターンを選択させることが可能になる。
【００１６】
【発明の実施の形態】
以下、この発明の幾つかの実施形態を図面を元に解説するが、この発明はこれ等の実施形態のみに限定されるものではない。
【００１７】
（第１実施形態）
図１及び図２はこの発明の第１実施形態を表わす。表裏２枚のビニール樹脂製シートの周囲を溶着して空気袋１を形成する。この空気袋１にはその両端部に面ファスナー２，２０を取り付けて、この空気袋１をベルトとして腹部に捲いてから、オス・メスの面ファスナー２，２０で止め合わせるように成っている。またこの空気袋１には空気を吹き込んだり抜いたりするための空気口１１を設けると共に、空気口１１から空気を吹き込んだ時に並行する沢山の山が形成されるように溶着部１０を設けた。なおこの溶着部１０の存在によって形成される山と山との間には狭空間Ｓが作り出されるように設計した。
【００１８】
従って、この実施形態のダイエットベルトを腹部に捲き付けてからポンプ３を注入状態にするとチューブ３０から空気口１１を介して空気が吹き込まれ、この結果形成される狭空間Ｓにゼイ肉部Ｆが挟み込まれ（図２を参照）、逆にポンプ３を排出状態にすると空気袋１から空気が抜かれて縮小し、狭空間Ｓが無くなりゼイ肉部Ｆが開放される。この繰り返しにより、ゼイ肉部Ｆをもんで引き締めることが出来るのである。
【００１９】
（第２実施形態）
上述した第１実施形態では、空気袋１がそのままベルトである構成としているが、この第２実施形態では、独立したベルト部４に空気袋５が取り付けられている点に特徴を有する。即ち空気袋５は並行に設けられた溶着部５０を有し、接着部４０にてベルト部４に固定されている。（なおここでは空気袋５はベルト部４に固定的に取り付けられているが、着脱自在と成るように構成することも可能である。）なお、空気袋５の身体と接触する面には起毛部５１が形成されている。これは静電接着により形成したものである。
【００２０】
この実施形態によれば、起毛部５１の存在によって皮膚への刺激が優しいものと成っている。
【００２１】
（第３実施形態）
図４はこの発明の第３実施形態を表わすが、空気袋６はジグザグに形成された溶着部６０によって２つの空気室（空気回路）Ａ，Ｂに分割されており、各々に空気口６１，６２が設けられている。この空気袋６にはその両端部分にバンドとバックルとから成る留め具２１，２２を取り付けて、この空気袋６をベルトとして腹部に捲いてから留め具２１，２２で締めて、腹部に密着させるように成っている。
【００２２】
ここで空気口６１からのみ空気を吹き込むと空気室Ａ側のみ膨脹し、この膨脹部に挟まれた狭空間ａがゼイ肉部を挟み付ける。次に空気口６１から空気を排出しつつ空気口６２から空気を吹き込むと、空気室Ａ側が縮小すると共に空気室Ｂ側が膨脹して、今度はこの膨脹部に挟まれた狭空間ｂがゼイ肉部を挟み付ける。従ってこの動作を繰り返すことにより、場所を違えて交互にゼイ肉部を掴むことが出来るため、マッサージ感覚がより一層高まる。
【００２３】
（第４実施形態）
次に図５で示したブロック図に基づいてこの発明の第４実施形態を説明する。制御部７は、設定部７０，センサ７１，ポンプ７２に接続されている。前記設定部７０は、１／ｆゆらぎを付与しつつポンプ７２から吹き込まれる空気圧を設定可能にするものである。また図示しないタイマー設定もここに内蔵されている。この設定部７０の設定に基づいて制御部７がポンプ７２を制御するように成っている。また空気袋内の圧力を監視するセンサ７１からの出力によっても、制御部７がポンプ７２を制御する。
【００２４】
そこで例えば、設定部７０でタイマ設定を行なうことにより、ゼイ肉部を掴む時間を自由に設定することが出来、使用中に寝てしまうようなことがあったとしても、制御部７が自動的にスイッチをオフにしてくれるため安心である。１／ｆゆらぎの付与は一種の流量調節であり、空気注入の量を調節することによりゼイ肉部を掴む力を調節することが出来る。またセンサ７１に付いて、何等かの影響で空気袋の圧力が高まったような場合でも、センサ７１で監視していて一定以上の圧力に対しては制御部７が自動的にスイッチをオフにするようにすれば安全である。
【００２５】
（第５実施形態）
図６はこの発明の第５実施形態の模式図である。一側面に大きめの山が出来るような空気袋８を、他側面に前記山の半分の大きさの山が作られるような空気袋８２を形成して、ベルト状に成形したものである。符号８０は空気袋８側の溶着部であり、符号８３は空気袋８２側の溶着部である。また符号８１は空気袋８側の起毛部であり、符号８４は空気袋８２側の起毛部であり、符号８５は空気袋８側と空気袋８２側とを気密に分ける中間シートである。
【００２６】
このように構成することによって、どちらの側の空気袋８，８２を利用するかで、ゼイ肉を大きく掴むか細かく掴むかの選択が可能と成る。この実施形態では空気袋８２の側を利用するゼイ肉を細かく掴むことが出来る。
【００２７】
（第６実施形態）
図７はこの発明の第６実施形態の模式図である。これまでの実施形態では山の形状について、並行する沢山の山が形成されるように溶着部を設けたもののみを説明して来たがこれに限定されるものではなく、うまくゼイ肉を掴むことが出来るのであればどのような形状のものであってもよい。
【００２８】
そこでこの実施形態では図７で示すようにドーナツ形状の山について取り上るものである。空気袋９は小円の溶着部９０と、これと同心円の大円の溶着部９１とから構成され、この間に空気口９２が設けられている。従って空気口９２から空気が入り込むと、ドーナツ形状の山が形成されると共に、ドーナツ形状の中心には凹状の狭空間Ｓが形成されるように成っている。
【００２９】
なおこの発明は上述した実施形態にのみ限定されないから、例えばダイエットベルトを最初から筒状に形成したものとすることが可能である。またダイエットベルトにバイブレータを取り付けてもよく、これによりダイエットベルトがもみ出したものを振動によってさらに細かく分解することが出来るように成る。この場合、ダイエットベルトとバイブレータとは一体のものであっても、別体のものであってもよい。またダイエットベルトにバイブレータを着脱し得るポケットを設けてもよい。
【００３０】
【発明の効果】
以上、この発明のダイエットベルトは、身体のゼイ肉部に巻き付けて膨脹させた時に大きさや間隔がゼイ肉部を掴み得るように構成した凸部または凹部を有する空気袋に、空気注入・排出用のポンプを設けて成るものとした。空気袋が膨脹した時には前記凸部または凹部がゼイ肉部を掴み、また空気袋が縮小した時には前記凸部または凹部がゼイ肉部を放すように成る。而してこの動作を反復することにより、ゼイ肉部をもんで上述したセルライトを壊し、この部位を引き締めることが出来るのである。
【００３１】
この結果、やさしい刺激でありながらも、実際に身体のゼイ肉部をもみ解して効果的な痩身を行ない得るような、痩身用のダイエットベルトを提供することに成功している。
【図面の簡単な説明】
【図１】第１実施形態の平面図である。
【図２】同実施形態の動作状態説明図である。
【図３】第２実施形態の模式図である。
【図４】第３実施形態の平面図である。
【図５】第４実施形態のブロック図である。
【図６】第５実施形態の模式図である。
【図７】第６実施形態の模式図である。
【符号の説明】
１　　空気袋
１０　溶着部
１１　空気口
２　　面ファスナー
２０　面ファスナー
２１　留め具
２２　留め具
３　　ポンプ
３０　チューブ
４　　ベルト部
４０　接着部
５　　空気袋
５０　溶着部
５１　起毛部
６　　空気袋
６０　溶着部
６１　空気口
６２　空気口
７　　制御部
７０　設定部
７１　センサ
７２　ポンプ
８　　空気袋
８０　溶着部
８１　起毛部
８２　空気袋
８３　溶着部
８４　起毛部
８５　中間シート
９　　空気袋
９０　溶着部
９１　溶着部
９２　空気口
Ａ　　空気室
Ｂ　　空気室
ａ　　空気室Ａの膨脹による狭空間
ｂ　　空気室Ｂの膨脹による狭空間
Ｆ　　ゼイ肉部
Ｓ　　狭空間
【図１】
2004105663.tif 000003
【図２】
2004105663.tif 000004
【図３】
2004105663.tif 000005
【図４】
2004105663.tif 000006
【図５】
2004105663.tif 000007
【図６】
2004105663.tif 000008
【図７】
2004105663.tif 000009